(57)【要約】【課題】簡単な構造で、生地が傷み難いもみ洗い洗濯を可能とする。【解決手段】洗濯槽２に設けた袋状ネット１１は楕円球形をなしており、その両端がシリンダ１０に設けられているピストンロッド１０ａに連設されている。洗濯に際しては、ピストンロッド１０ａを進退動作させることで、袋状ネット１１を伸張弛緩させ、内部に収容されている被洗物１３の圧縮と緩和とを繰り返すことで、被洗物１３を通過する洗濯水の流速を速くし、高い洗浄力を得る。【選択図】図１
2011011002.tif 000002
【特許請求の範囲】
【請求項１】
洗濯槽と、
前記洗濯槽に設けられて内部に被洗物が収容される袋状ネットと、
前記袋状ネットを伸張弛緩させるアクチュエータと
を備えることを特徴とするもみ洗い洗濯機。
【請求項２】
前記袋状ネットが楕円球形を成しており、該袋状ネットの長手方向の両端が前記アクチュエータに連結されている
ことを特徴とする請求項１記載のもみ洗い洗濯機。
【請求項３】
前記アクチュエータが、前記袋状ネットに固設されているピストンロッドを進退動作させることで、該袋状ネットを伸張弛緩させる
ことを特徴とする請求項１或いは２記載のもみ洗い洗濯機。
【発明の詳細な説明】
【技術分野】
【０００１】
本発明は、ネットに収容した被洗物を、該ネットを伸張収縮させることでもみ洗いするもみ洗い式洗濯機に関する。
【背景技術】
【０００２】
一般に、洗濯機は、パルセータ式とドラム式とに大別される。パルセータ式は、洗濯水を満たした洗濯槽に被洗物を入れ、洗濯槽の底部に配設されている攪拌翼（パルセータ）にて被洗物を水平方向に回転させて攪拌するものであり、被洗物どうし摩擦または振動などの機械的作用と洗剤による化学作用とによって、被洗物に付着した汚れを除去する。一方、ドラム式は、縦方向に回転するドラムによって、このドラムに投入されている被洗物を落下させる際の機械的作用と洗剤による化学作用とを利用して、被洗物に付着した汚れを除去するものである。
【０００３】
これに対し、例えば特許文献１（特開２００７−１３０１００号公報）には、被洗物をもみ洗いする洗濯機が提案されている。この文献に開示されている洗濯機は、洗濯槽が柔軟な弾性を有する筒状体で形成され、その外周にワイヤが所定間隔おきに巻装され、又、内周に複数の棒状突起が螺旋状に配列された状態で突設されている。そして、被洗物を洗濯するに際しては、洗濯槽の外周に巻装されているワイヤの緊縛と弛緩とを繰り返すことで、洗濯槽の内径が断続的に縮径され、それによって、内周に配設されている棒状突起にて被洗物が押圧されてもみ洗いが行われる。
【発明の概要】
【発明が解決しようとする課題】
【０００４】
上述した文献に開示されているもみ洗い式洗濯機は、ワイヤによる洗濯槽の緊縛、弛緩を繰り返すことで、洗濯槽に投入されている被洗物をもみ洗いするようにしている。しかし、１本のワイヤによって縮径することのできる領域は限られており、洗濯槽全体に対して断続的な縮径を行えるようにするには、沢山のワイヤを洗濯槽の外周に所定間隔おきに配設し、対応するモータにて個々に動作させる必要がある。
【０００５】
従って、ワイヤの配設本数が増加するに従いモータを増加する必要があり、構造が複雑化するばかりでなく、装置全体が大型化してしまう問題がある。
【０００６】
又、上述した文献に加持されている技術では、棒状突起により被洗物を突く動作でもみ洗いする構造であるため、被洗物が痛みやすいと云う問題もある。
【０００７】
本発明は、上記事情に鑑み、簡単な構造で、装置全体が大型化せず、しかも、生地が傷み難い状態で洗濯することのできるもみ洗い式洗濯機を提供することを目的とする。
【課題を解決するための手段】
【０００８】
上記目的を達成するため本発明によるもみ洗い洗濯機は、洗濯槽と、前記洗濯槽に設けられて内部に被洗物が収容される袋状ネットと、前記袋状ネットを伸張弛緩させるアクチュエータとを備えることを特徴とする。
【発明の効果】
【０００９】
本発明によれば、袋状ネットを伸張弛緩させることで、内部に収容されている被洗物を洗濯するようにしたので、洗濯槽全体を回転させる場合に比し、構造が簡単で、装置全体が大型化せず、しかも、もみ洗いによる洗濯であるため生地が傷み難いと云う効果が奏される。
【図面の簡単な説明】
【００１０】
【図１】もみ洗い式洗濯機の断面側面図
【図２】図１のII-II断面図
【図３】被洗物投入時の図２相当の断面図
【図４】洗濯動作時の図２相当の断面図
【図５】絞り動作時の図２相当の断面図
【発明を実施するための形態】
【００１１】
以下、図面に基づいて本発明の一実施形態を説明する。本実施形態によるもみ洗い式洗濯機（以下、単に「洗濯機」と称する）１は、洗濯機本体１ａに洗濯槽２が一体に形成されている。図２に示すように、この洗濯機１は、平面視において横長の長方形に形成されており、図面下方が前面、上方が背面となっている。又、洗濯槽２も平面視において横長の長方形に形成されている。
【００１２】
この洗濯槽２の上部に給水パイプ３が臨まされている。この給水パイプ３は、図示しない給水バルブを介して水道の蛇口に接続されている。又、この洗濯槽２の底部に排水口２ａが開口され、この排水口２ａに排水バルブ５を介して排水ホース６が接続されている。
【００１３】
この洗濯槽２の短辺側のほぼ中央の対向面にスピンドル７が、シール部材８を介して進退且つ回動自動に各々支持されている。このスピンドル７の基部にモータ９が固設され、このモータ９がアクチュエータとしてのエアシリンダ１０に設けられているピストンロッド１０ａの先端に固設されている。尚、エアシリンダ１０は洗濯機本体１ａの内壁に固設されている。
【００１４】
又、洗濯槽２に臨まされているスピンドル７の先端に、袋状ネット１１の両側が固設されている。この袋状ネット１１は、ラグビーボールのような楕円球形をなしており、この袋状ネット１１の長軸方向両端部がスピンドル７に固設されて支持されている。この袋状ネット１１は、ナイロン、ポリエステル或いはポリウレタン等からなる弾性撚糸をネット状に編み込んで形成されている。したがって、高い伸縮性、及び強度を有している。この袋状ネット１１の上面にファスナ１２が形成されている。このファスナ１２を開口することで、袋状ネット１１内に衣服などの被洗物１３を投入することができる。
【００１５】
両エアシリンダ１０は互いに同期して同じ動作をするように設定されており、又モータ９は互いにねじる方向へ同期回動するように設定されている。
【００１６】
次に、このような構成による本実施形態の作用について説明する。初期状態の両ピストンロッド１０ａは突出した状態にあり、この状態では、図１、図２に示すように、スピンドル７の先端に両端が支持されている袋状ネット１１が、弛緩された状態にある。
【００１７】
そして、図３に示すように、袋状ネット１１に形成されているファスナ１２を開き、衣類等の被洗物１３を袋状ネット１１に投入し、ファスナ１２を閉じる。又、洗濯槽２に洗剤を投入する。
【００１８】
その後、洗濯スイッチ（図示せず）をＯＮすると、予め設定されている洗濯プログラムに従い洗濯が開始される。この洗濯プログラムでは、先ず、給水バルブ（図示せず）が開き、水道水が給水パイプ３から洗濯槽２に注水される。そして、洗濯槽２に水が所定量だけ満たされると、給水バルブが閉じ注水が停止される。
【００１９】
次いで、洗剤洗いが開始される。洗剤洗いでは、両エアシリンダ１０が動作し、各エアシリンダ１０に設けられているピストンロッド１０ａが互いに同期して対称な動作をする。すなわち、図４に示すように、両ピストンロッド１０ａが後退すると、袋状ネット１１が伸張されて、内部の被洗物１３が圧縮される。次いで、ピストンロッド１０ａが突出動作して初期位置に戻されると、袋状ネット１１が弛緩され、内部の被洗物１３に対する圧縮が緩和される。これを繰り返すことで、袋状ネット１１に収容されている被洗物１３が圧縮と緩和とが繰り返され、被洗物１３は互いに絡まることなく、被洗物１３同士の圧縮緩和によりもみ洗いされる。
【００２０】
又、被洗物１３が圧縮されると、この被洗物１３に含浸されている洗濯水が排出され、圧縮が緩和されると、洗濯水が再び含浸されるため、これを繰り返すことで、被洗物１３を速い速度で洗濯水が通過することとなり、高い洗浄力を得ることができる。又、洗濯に際して被洗物１３同士が激しく擦られることがないので、被洗物１３の生地を傷めるとがない。更に、被洗物１３が含浸した洗濯水を積極的に排出させることで、被洗物１３に付着した汚れを落とすようにしたので、少ない水量での洗濯が可能となり、相対的に洗剤量も減らすことができる。
【００２１】
尚、すすぎ洗いの際のエアシリンダ１０によるピストンロッド１０ａの進退動作は、洗剤洗いと同じであるため、説明を省略する。又、排水は従来と同様であるため、これも説明を省略する。
【００２２】
そして、所定に洗剤洗い、或いはすすぎ洗いが終了すると、脱水が行われる。脱水では、図５に示すように、エアシリンダ１０がピストンロッド１０ａを後退させて、袋状ネット１１に収納されている被洗物１３を圧縮した状態で、各ピストンロッド１０ａの先端に固設されているモータ９を駆動させてスピンドル７を、平面視において互いに逆方向（スピンドル７自体は同方向に回転している）に回転させて、袋状ネット１１を捻ることで脱水させる。この場合、被洗物１３自体を直接絞るのではないので、被洗物１３の生地を傷めることはない。
【００２３】
このように、本実施形態によれば、袋状ネット１１に投入した被洗物１３を、袋状ネット１１の圧縮と緩和との繰り返しにより洗剤洗いするようにしたので、被洗物１３の生地を傷めることなく、良好なもみ洗いを行うことができる。又、袋状ネット１１の伸張、弛緩の繰り返しにより、内部に投入されている被洗物１３に対して洗濯水の排出と含浸とを繰り返すようにしたので、被洗物１３を通過する洗濯水の流速が速くなり、高い洗浄力を得ることができる。
【００２４】
又、洗濯水を被洗物１３に対して含浸させた後、排出させる動作を繰り返すことで洗浄しているため、少ない水量での洗濯が可能となる。同様に、すすぎ洗いでは少ない水量でのすすぎが可能となり、節水はもとより、すすぎ洗い時間の短縮をも実現することができる。
【００２５】
又、洗濯槽を回転させる必要がないため、エアシリンダ１０やモータ９の容量を大きくする必要がなく、従って、洗濯機１自体を小型化することができる。
【００２６】
尚、本発明は、上述した実施形態に限るものではなく、例えばアクチュエータは、エアシリンダ１０に限らず、ソレノイド等の電動アクチュエータであっても良い。又、エアシリンダ１０を１つとし、このエアシリンダ１０に設けられているピストンロッド１０ａに対して、他方のピストンロッド１０ａをリンク機構を介して連設するようにしても良い。
【符号の説明】
【００２７】
１…もみ洗い式洗濯機、
１ａ…洗濯機本体、
２…洗濯槽、
２ａ…排水口、
３…給水パイプ、
５…排水バルブ、
６…排水ホース、
７…スピンドル、
８…シール部材、
９…モータ、
１０…エアシリンダ、
１０ａ…ピストンロッド、
１１…袋状ネット、
１２…ファスナ、
１３…被洗物
【先行技術文献】
【特許文献】
【００２８】
【特許文献１】特開２００７−１３０１００号公報
【図１】
2011011002.tif 000003
【図２】
2011011002.tif 000004
【図３】
2011011002.tif 000005
【図４】
2011011002.tif 000006
【図５】
2011011002.tif 000007